(57)【要約】      （修正有）【課題】帽体と裏地の接続を容易、かつ正確に行え、より快適に、より多用途に着用できる帽子を提供する。【解決手段】帽体１ａの下縁部回り内面に所要の間隔で複数箇所に、先端部にボタンホールを設けたテープ２を、夫々の基端部を帽体の下縁部周り内面に夫々逢着して配備し、前記帽体の内面に適合して形成された裏地５の前記テープのボタンホールと対応部に前記夫々のテープのボタンホールと係合するボタン６を夫々設け、帽体に裏地を着脱自在に設けてなる。【選択図】図２
0003166614.tif 000002
【実用新案登録請求の範囲】
【請求項１】
帽体の下縁部周り内面に所要の間隔で複数箇所に、先端部にボタンホールを設けたテープを、夫々の基端部を帽体の下縁部周り内面に夫々逢着して配備し、前記帽体の内面に適合して形成された裏地の前記テープのボタンホールと対応部に前記夫々のテープのボタンホールと係合するボタンを夫々設け、帽体に裏地を着脱自在に設けてなる着脱自在の裏地付き帽子。
【考案の詳細な説明】
【技術分野】
【０００１】
本考案は、着脱自在の裏地付きの帽子に関するものである。
【背景技術】
【０００２】
特許文献１には、織布または不織布に導電加工を施し、若しくは導電性繊維で織布または不織布を形成して頭部保護具の形成用素材を形成し、該形成用素材を用いて伏せ椀形に形成されてなる帽子用インナーが提案されている。
【０００３】
特許文献２には、帽子のサイズリボンの下部にボタン穴をあけ、帽子のひさしの立ち上がりの部分の外側面にボタンをつけ、このボタンによって帽子の頭部とひさしを取り外し可能に設けてなる帽子が提案されている。
【０００４】
特許文献３には、帽子の下に着用される半球形状のインナー型の帽子であって、不織布で形成されるとともに該不織布の頭部側は微粉末の炭がスプレーコーティングされているインナー帽子が提案されている。
【０００５】
【特許文献１】特開平１０−４６４２０号公報
【特許文献２】実用新案登録第３００６７２１号公報
【特許文献３】実用新案登録第３１４８３３２号公報
【考案の開示】
【考案が解決しようとする課題】
【０００６】
前記特許文献１の帽子用インナーと本体帽子の帽体との結合は、公報において、「この帽子用インナー１の下端の内面の周縁部分には左右の二箇所に後述する帽子部分７の“ビンカワ”８に逢着されたベルベットクロス式ファスナー９に係着されるベルベットクロス式ファスナー１０が逢着されている。」と開示されている。しかるに、ベルベットクロス式ファスナーは、互いに面で結合するため、接続の都度、接続位置がずれて裏地が正確性が期し難いものであり、裏地と帽体の着脱手段としては不適切である。
【０００７】
前記特許文献２は、帽子のサイズリボンの下部のボタン穴と帽子のひさしの立ち上がりの外側面につけたボタンとを係合し接続するものであるから、接続時にそのままではボタンが外面に現れるため、サイズリボンの下部のボタン穴を開けている部分を帯状に帽子の頭部の内側に向かって、折り込み、折り込んだ状態で帽子のひさしをボタンによって帽子の頭部に取り外し可能に取り付ける構造となっている。したがって、帽子のサイズリボンが膨らみ、数種の裏地を交換自在に使用される帽子の裏地着脱手段としてはデザイン性で欠点がある。
【０００８】
前記特許文献３は、本体帽子とインナー型の帽子との結合は、公報において、「なお、竹炭コーティング部１３を内側としたときのインナー型帽子縁部１５の外側に沿って、雄型の面ファスナー（図示外）の小片を固着するとともに、ニット製、布製または合成樹脂製等の帽子の縁部の内側の前記雄型の面ファスナーに対応する位置に雌型の面ファスナーの小片を固着するようにしても良い。」と開示されている。しかし、前記特許文献１で述べたように、面ファスナーは、互いに面で結合するため、結合の都度、結合位置がずれるものであり、裏地と帽体の着脱手段としては不適切である。
【０００９】
本考案は、前記特許文献１〜３の問題点を解消し、季節・天気・気温の個人差などの時的条件、地域・室内・室外などの様々な場所的条件、機能・好みなどの場面的条件に合わせて、より快適に、より多用途に着用できる帽子の提供を目的になされたものである。
【課題を解決するための手段】
【００１０】
本考案は、帽体の下縁部周り内面に所要の間隔で複数箇所に、先端部にボタンホールを設けたテープを、夫々の基端部を帽体の下縁部周り内面に夫々逢着して配備し、前記帽体の内面に適合して形成された裏地の前記テープのボタンホールと対応部に前記夫々のテープのボタンホールと係合するボタンを夫々設け、帽体に裏地を着脱自在に設けてなる着脱自在の裏地付き帽子にある。
【考案の効果】
【００１１】
裏地の素材によって様々な付加価値としての効果が得られる。例えば、保温素材を使うことによってデザイン性と機能性を同時に享受できる帽子を提供できる。
【００１２】
素材の特性上、帽体部分が洗えない場合でも裏地に洗える素材を用いることによってデザイン性だけでなくより清潔に長く使用に耐える帽子を提供できる。
【００１３】
機能素材（冷却素材、吸水・速乾素材。抗菌・防臭など）を使用することによって帽体ベースのデザイン性にプラスα様々な付加価値を付与して帽子を提供できる。
【００１４】
本考案の着脱自在の裏地付き帽子は、帽体と裏地の接続を容易、かつ正確に行え、帽子を、より機能的快適性を奏し、趣味感を満足させ多用途に着用できるものである。
【図面の簡単な説明】
【００１５】
【図１】本考案の第１実施例の着脱自在の裏地付き帽子の着脱自在の裏地を装着した状態の底面図である。
【図２】図１のＡ−Ａ線で断面した断面図である。
【図３】本考案の第１実施例の裏地単体の底面図である。
【図４】ボタンホールを具えたテープ単体を示す拡大正面図である。
【図５】着脱自在の裏地のボタンを示す拡大部分図である。
【図６】同じく、着脱自在の裏地のボタン部分を示す拡大部分断面図である。
【図７】本考案の第２実施例の着脱自在の裏地の単体の底面図である。
【図８】本考案の第２実施例の着脱自在の裏地のボタン部分に対応するボタンホールを具えたテープの部分を切り欠き断面で示す帽体の底面図である。
【考案を実施するための最良の形態】
【００１６】
帽体の下縁部周り内面に、先端部にボタンホールを設けたテープを二片、夫々のテープの基端部を夫々等間隔に逢着して配備し、前記帽体の内面に適合して形成された裏地の前記テープのボタンホールと対応部にボタンを夫々設け、夫々のボタンホールとボタンを係合して裏地を帽体に着脱自在に設けてなる着脱自在の裏地付き帽子。
【実施例】
【００１７】
本考案の着脱自在の裏地付き帽子を図１〜図６に示す第１実施例の着脱自在の裏地付き帽子１により説明すると、第１実施例の着脱自在裏地付き帽子１は帽体１ａと鍔部１ｂから構成し、その帽体１ａの下縁部１ａ１周り内面の二等分位置に、図４に示すように、先端部２ｂにボタンホール３を設けたテープ２、２の二片を、夫々の基端部２ａ、２ａを帽体１ａの下縁部１ａ１の周り内面に夫々逢着し、該テープ２、２の二片を間に前記帽体１ａの下縁部１ａ１の内面にスベリ４の下縁部４ａを逢着し、スベリ４を帽体１ａの内側に配備している。
【００１８】
第１実施例の着脱自在の裏地付き帽子１の帽体１ａの内面に配備される第１実施例の裏地５は、図１及び図２に示すように、椀形に形成され、前記テープ２、２のボタンホール３、３に対応する部分にボタン６、６の二個を糸掛かりして設けている。
【００１９】
前記着脱自在の裏地５は、図５及び図６に示すように、下縁部を二つ折り帯状部５ａで接続し、この帯状部５ａにボタン６を取り付けてもよいものである。
【００２０】
第１実施例の着脱自在の裏地付き帽子１は、前記のように構成されるから、裏地５はボタン６、６を帽体１ａの内側のボタンホール３、３に係合することによって帽体１ａと一体に取り付けることができる。
【００２１】
裏地５は、ボタン６、６を帽体１ａの内側のテープ２、２のボタンホール３、３に係合するものであるから、取り付けと取り外しが容易に行え、また、別に用意した第２、第３、第４の裏地と容易に交換することができる。また、取り付け位置が常に一定し、左右又は上下に変化することがなく、裏地５を帽体１ａの内面の側所定位置に正しく配備することができる。
【００２２】
前記図１及び図２において、仮線で示すように、スベリ４の上縁部４ｂよりテープ２、２のボタンホール３、３と裏地５のボタン６、６の位置を下側に設けて、スベリ４の内側にボタンホール３、３とボタン６、６を配備してもよいものである。
【００２３】
前記第１実施例の着脱自在の裏地付き帽子１では、裏地５の取り付け位置が２箇所であったが、図７に示ように、第２の着脱自在の裏地付き帽子７は帽体７ａと鍔部７ｂから構成し、帽体７ａでは先端部８ｂにボタンホール９を設けたテープ８を４箇所に配備し、これに取り付ける着脱自在の裏地１０は、図８に示すように、ボタン１１を４箇所に取り付けるものとしてもよいものである。
【００２４】
前記帽体１ａを構成する生地は、織地、編地あるいは不織布であってよく、また、前記裏地５及び裏地１０を構成する生地は、帽体１ａの織地に対して織地というように同種生地又は帽体１ａの編地に対して裏地１０を織地あるいは不織布というに異種のものでもよいものである。
【００２５】
前記裏地５及び裏地１０は、機能素材（冷却素材、吸水・速乾素材、抗菌・防臭など）を使用してつくられた生地を使用することによって帽体のデザイン性にプラスする様々な付加価値を帽子に付与することができる。
【００２６】
本考案の前記帽体１ａ、帽体７、前記裏地５及び裏地１０は、一例であって実施例に限定されるものではない。
【産業上の利用可能性】
【００２７】
本考案の着脱自在裏地付き帽子は、防暑、防寒の機能面と、好みの趣味観とを満足させることができ、新感覚層の需要を喚起し、帽子産業の発展に寄与するものである。
【符号の説明】
【００２８】
１  第１実施例の着脱自在裏地付き帽子
１ａ  帽体
１ａ１  下縁部
１ｂ  鍔部
２  テープ
２ａ  基端部
２ｂ  先端部
３  ボタンホール
４  スベリ
４ａ  下縁部
４ｂ  上縁部
５  裏地
５ａ  帯状部
６  ボタン
７  第２の着脱自在の裏地付き帽子
７ａ  帽体
７ｂ  鍔部
８  テープ
８ｂ  先端部
９  ボタンホール
１０  裏地
１１  ボタン
【図１】
0003166614.tif 000003
【図２】
0003166614.tif 000004
【図３】
0003166614.tif 000005
【図４】
0003166614.tif 000006
【図５】
0003166614.tif 000007
【図６】
0003166614.tif 000008
【図７】
0003166614.tif 000009
【図８】
0003166614.tif 000010